(57)【特許請求の範囲】
【請求項１】
共通の公衆電話回線に、ファクシミリ装置等の通信装置を接続するか、または電話機等の加入電話回線端末装置を接続するかを切り換える機能を有するとともに、公衆電話回線から切り離された状態の加入電話回線端末装置を鳴動させるための鳴動信号を生成する鳴動信号生成回路を備えた網制御装置において、
前記鳴動信号生成回路は、通信装置本体からの直流電源に接続されたインダクタと、このインダクタに流れる電流を高周波信号によりスイッチング制御するスイッチング回路を有し、前記高周波信号のデューティ比で出力電圧を制御することにより、公衆電話回線から切り離された加入電話回線端末装置を鳴動させるための鳴動信号を生成するとともに、前記加入電話回線端末装置に公衆電話回線の回線間電圧と同等の電圧を供給する機能を備え、
前記加入電話回線端末装置が電圧変動により回線状態を検知するものか、電流変動により回線状態を検知するものかを判断し、
前記加入電話回線端末装置が電圧変動により回線状態を検知するものである場合は、前記鳴動信号生成回路を制御して加入電話回線端末装置に公衆電話回線の回線間電圧と同等の電圧を供給する一方、
前記加入電話回線端末装置が電流変動により回線状態を検知するものである場合は、前記鳴動信号生成回路の制御を停止して、通信装置本体から供給される直流電源を加入電話回線端末装置にそのまま供給することを特徴とする網制御装置の制御方法。
【請求項２】
請求項１に記載の網制御装置の制御方法において、
前記加入電話回線端末装置が公衆電話回線に接続されているときは、前記鳴動信号生成回路の制御を停止させることを特徴とする網制御装置の制御方法。
【発明の詳細な説明】
【０００１】
【発明の属する技術分野】
本発明は、共通の公衆電話回線に、ファクシミリ装置等の通信装置を接続するか、または電話機等の加入電話回線端末装置を接続するかを切り換える機能を有するとともに、公衆電話回線から切り離された状態の加入電話回線端末装置を鳴動させるための鳴動信号を生成する鳴動信号生成回路を備えた網制御装置に係り、特にファクシミリ装置等に併設される一般電話機やＰＢＸ（構内交換機）などの加入電話回線端末装置に公衆電話回線の回線間電圧と同等の電圧を供給する技術に関するものである。
【０００２】
【従来の技術】
従来の網制御装置に備えられる鳴動信号生成回路は、特開昭６１−１０３５２号公報等に開示されているように、トランスによる昇圧型の鳴動信号生成回路であり、トランスによる二次側の電圧は、一次側に流れる電流の変化により誘起される電圧とトランスの巻数比により一様に決定されてしまうため、鳴動電圧とは異なる回線間電圧を供給することは困難である。一次側の＋２４Ｖの直流電源を直接利用することも考えられるが、公衆電話回線の回線間電圧である＋４８Ｖとは異なるため、電圧変動により回線状態の検知を行う加入電話回線端末装置によっては誤動作を招く恐れがある。また、一次側の直流電源を＋４８Ｖに変えても良いが、この場合も一般的な直流電源である＋２４Ｖから＋４８Ｖに変換する回路が別途必要となる。
【０００３】
【発明が解決しようとする課題】
ファクシミリ装置等に接続される従来の網制御装置において、最大の直流電源はファクシミリ装置のモータ等を駆動する場合に用いる＋２４Ｖが一般的である。この＋２４Ｖの直流電源を利用してファクシミリ装置等に併設される電話機やＰＢＸ等の加入電話回線端末装置における公衆電話回線接続端子に電圧を供給する場合、公衆電話回線の回線間電圧は＋４８Ｖであるため、前述したように、電圧変動により回線状態の検知を行う加入電話回線端末装置によっては誤動作を招く恐れがある。例え、供給する直流電源を＋４８Ｖとしても、＋２４Ｖを＋４８Ｖに昇圧させる回路が別途必要となる欠点がある。
【０００４】
そこで、本発明はこのような問題点を解決するためになされたものであり、ファクシミリ装置等の本体側で一般的に用いられる直流電源から、昇圧型の鳴動信号生成回路を利用して、公衆電話回線と同等の電圧を加入電話回線端末装置に供給できるようにすることを目的とするものである。
【０００５】
【課題を解決するための手段】
上記目的を達成するために、本願の請求項１に記載の発明は、共通の公衆電話回線に、ファクシミリ装置等の通信装置を接続するか、または電話機等の加入電話回線端末装置を接続するかを切り換える機能を有するとともに、公衆電話回線から切り離された状態の加入電話回線端末装置を鳴動させるための鳴動信号を生成する鳴動信号生成回路を備えた網制御装置において、前記鳴動信号生成回路は、通信装置本体からの直流電源に接続されたインダクタと、このインダクタに流れる電流を高周波信号によりスイッチング制御するスイッチング回路を有し、前記高周波信号のデューティ比で出力電圧を制御することにより、公衆電話回線から切り離された加入電話回線端末装置を鳴動させるための鳴動信号を生成するとともに、前記加入電話回線端末装置に公衆電話回線の回線間電圧と同等の電圧を供給する機能を備え、前記加入電話回線端末装置が電圧変動により回線状態を検知するものか、電流変動により回線状態を検知するものかを判断し、前記加入電話回線端末装置が電圧変動により回線状態を検知するものである場合は、前記鳴動信号生成回路を制御して加入電話回線端末装置に公衆電話回線の回線間電圧と同等の電圧を供給する一方、前記加入電話回線端末装置が電流変動により回線状態を検知するものである場合は、前記鳴動信号生成回路の制御を停止して、通信装置本体から供給される直流電源を加入電話回線端末装置にそのまま供給するようにしたものである。
【０００６】
また、請求項２に記載の発明は、前記請求項１に記載の網制御装置の制御方法において、前記加入電話回線端末装置が公衆電話回線に接続されているときは、前記鳴動信号生成回路の制御を停止させるようにしたものである。
【０００８】
【発明の実施の形態】
以下、本願の各発明の実施形態を図面を参照して説明する。
【０００９】
図１は、本願の各発明の実施形態に係る鳴動信号生成回路を備えた網制御装置、及びそれらを含むファクシミリ装置の全体構成を示すブロック図である。
【００１０】
図１の装置は、相手側と画情報の送受信等の通信動作を行うファクシミリ装置本体１と、電話網を制御する網制御装置（ＮＣＵ：ネットワークコントロールユニット）２に大別される。網制御装置２には、モジュラケーブル等を介して加入電話回線端末装置３と公衆電話回線４が接続され、加入電話回線端末装置３によって相手側と通話動作も行うことができる。加入電話回線端末装置３としては、いわゆるホームテレホンと称される一般電話機だけでなく、ボタン電話機あるいはＰＢＸ等の交換機も接続される。
【００１１】
ここで先ず、ファクシミリ装置本体１について説明する。１０は、ファクシミリ装置本体１および網制御装置２の制御を行う主制御部であり、ＣＰＵ（中央処理装置）等を含む。１１はＲＯＭ（リード・オンリー・メモリ）で、主制御部１０は、このＲＯＭ１１に格納されたプログラムに従って装置全体を制御する。１２はＲＡＭ（ランダム・アクセス・メモリ）で、送受信するときに画情報を記憶するバッファメモリ領域および装置全体の制御のためのワークエリア領域等を含む。
【００１２】
モデム１３は、送受信画情報の変調及び復調を行うと共に、各種トーン信号の発信や検出の機構も有する。読取部１４は、セットされた原稿上の画像を所定の解像度で読み取るものであり、主制御部１０が操作部１５から入力された送信相手先識別番号に従って相手装置とプロトコル交信を行うことにより、読み取られた画情報の送信が行われる。このとき画情報は、モデム１３、網制御装置２を介して公衆電話回線４に送信される。一方、公衆電話回線４、網制御装置２、モデム１３を介して画情報を受信すると、記録部１７に供給されて出力印刷がなされる。
【００１３】
操作部１５は、送信相手先識別番号としての電話番号を入力するためのテンキー、送信開始キーおよび網制御装置２の制御情報等の登録を行う各種キー等からなり、それらの情報は表示部１６に表示され確認がなされる。表示部１６は、本装置の制御、動作状態も表示するよう構成されている。記録部１７は、受信した画情報等を所定の解像度で記録出力するものである。
【００１４】
待機状態では、操作部１５により設定された通信モードに従い、ファクシミリ（ＦＡＸ）モードか電話（ＴＥＬ）モードか、それとも自動切換モードかが判断され、待機する。この時、主制御部１０は各通信モードに従い加入電話回線端末装置３を公衆電話回線４から切り離すか否かを判断し、網制御装置２の回線切換回路２０を制御する。また、網制御装置２の鳴動信号生成回路２１から電圧を供給するか否かも、操作部１５で登録された内容により主制御部１０が判断し、鳴動信号生成回路２１の制御が行われる。
【００１５】
次に、網制御装置２について説明する。本実施形態の網制御装置２は、回線切換回路２０、鳴動信号生成回路２１、直流電源２２（ファクシミリ装置本体１から供給）、オフフック検出回路２３、呼出信号検出切換回路２４、呼出信号検出回路２５、直流検出回路２６、ダイヤルパルス送出回路２７、ライントランス２８等から構成されている。
【００１６】
上記鳴動信号生成回路２１は、ファクシミリ装置本体１から供給される＋２４Ｖの直流電源２２に接続されたインダクタ（リアクトル)２１ａと、このインダクタ２１ａに流れる電流を主制御部１０からの高周波信号（２０ＫＨｚ）によりスイッチング制御するスイッチングトランジスタ（ＳＴＲ）２１ｂと、平滑回路を構成するダイオード２１ｃ及び平滑コンデンサ２１ｅと、負荷抵抗２１ｆと、前記平滑コンデンサ２１ｅ及び後述する鳴動コンデンサ３ａの充放電を主制御部からの低周波信号（１６Ｈｚ）により制御する放電トランジスタ２１ｄ等から構成されている。
【００１７】
呼出信号検出切換回路２４は、待機状態では実線で示す状態に接続される。ここで、公衆電話回線４から着信の合図を示す呼出信号が呼出信号検出切換回路２４を介して呼出信号検出回路２５に入力されると、その検出出力を受けた主制御部１０が呼出信号検出切換回路２４を鎖線側に切り換える。そして、ＦＡＸ通信の場合はダイヤルパルス送出回路２７により回線電流を閉結し、公衆電話回線４、ダイヤルパルス送出回路２７およびライントランス２８を介してモデム１３を通り、通信動作がなされる。
【００１８】
直流検出回路２６は、公衆電話回線４および加入電話回線端末装置３のオフフック状態を検出するとともに、公衆電話回線４の極性反転の検出も兼ねる。オフフック検出回路２３は、回線切換回路２０により加入電話回線端末装置３が公衆電話回線４から切り離された状態のときも、鳴動信号生成回路２１から供給される電力によって加入電話回線端末装置３のオフフック状態を検出するものである。
【００１９】
本実施形態における鳴動信号生成回路２１は、鳴動信号として擬似呼出信号を発生して加入電話回線端末装置３を呼び出す他、加入電話回線端末装置３に電力を供給する機能も有している。擬似呼出信号は、自動切換モードの時、一旦公衆電話回線４からの呼出信号を無鳴動の状態、つまり回線切換回路２０により加入電話回線端末装置３を公衆電話回線４から切り離して呼出信号検出回路２５で受け、その後、相手側が電話と判断した時点で、加入電話回線端末装置３を呼び出すため等に利用される。
【００２０】
まず、鳴動信号生成回路２１による擬似呼出信号の発生動作を図２のタイミングチャートを参照して説明する。なお、図２（ａ）は図１の（ａ）点、すなわち放電トランジスタ（ＤＴＲ）２１ｄのベースに印加される信号で、主制御部１０の図示しない基本発振回路から送出される１６Ｈｚの低周波信号である。また、図２（ｂ）は図１の（ｂ）点、すなわちスイッチング回路を構成するスイッチングトランジスタ（ＳＴＲ）２１ｂのベースに印加される信号で、主制御部１０の図示しない発振回路の２０ＫＨｚの高周波信号が前記基本発振回路の低周波信号を反転した信号で変調された信号である。そして、図２（ｃ）は図１の（ｃ）点、すなわち鳴動信号生成回路２１から出力される信号で、加入電話回線端末装置３を鳴動させる鳴動信号（擬似呼出信号）である。
【００２１】
電話機等の加入電話回線端末装置３におけるオンフック時の等価回路は、図中の実線で示すように簡単なＣＲ回路（コンデンサ＋抵抗）で表すことができる。そして、１６Ｈｚの低周波信号で鳴動コンデンサ３ａを充放電してリンガーを鳴動する。従って、充電と放電が適切に行わなければならない。そのために、本実施形態においては、図２（ｂ）に示すように、２０ＫＨｚのスイッチングを１６Ｈｚで間欠的に行わせる信号を用いる。すなわち、２０ＫＨｚで高速にスイッチングトランジスタ（ＳＴＲ）２１ｂをオン／オフし、これを１６Ｈｚで間欠的に行わせる。スイッチングトランジスタ（ＳＴＲ）２１ｂがオンすると、インダクタ２１ａに直流電源（＋２４Ｖ）２２から、電流が直線的に上昇しながら流れる。この時、スイッチングトランジスタ（ＳＴＲ）２１ｂで接地されているので、出力側には電流は流れずにインダクタ２１ａにエネルギーが蓄積する。
【００２２】
一方、スイッチングトランジスタ（ＳＴＲ）２１ｂがオフになると、インダクタ２１ａに逆起電力が発生し、ダイオード２１ｃを通して出力側に電流が流れ、平滑コンデンサ２１ｅ及び加入電話回線端末装置３内の鳴動コンデンサ３ａを充電する。２０ＫＨｚでのスイッチングを何回か繰り返すと、平滑コンデンサ２１ｅ及び鳴動コンデンサ３ａは、最終的に逆起電力で発生した電圧まで充電され、図２（ｃ）で示すような一定の電圧（ここでは１８０Ｖ）になる。なお、このようにして昇圧できる電圧は、スイッチングトランジスタ（ＳＴＲ）２１ｂをオン／オフする高周波信号のデューティ比により決定される（後で詳述する）。
【００２３】
さて、加入電話回線端末装置３を鳴動させるためには、その鳴動コンデンサ３ａを放電させなければならない。そのために、２０ＫＨｚのスイッチングの停止と同時に、放電トランジスタ（ＤＴＲ）２１ｄをオンして放電ループを作る。この放電トランジスタ（ＤＴＲ）２１ｄのオンにより、平滑コンデンサ２１ｅと鳴動コンデンサ３ａの電荷は、図２（ｃ）で示すように、１８０Ｖから２４Ｖまで放電し、１サイクルが終了する。この動作を繰り返すことにより、図２（ｃ）に示すような鳴動信号を生成することができる。
【００２４】
次に、この鳴動信号生成回路２１を利用して、加入電話回線端末装置３へ公衆電話回線４の回線間電圧と同等の電圧を供給する動作について説明する。
【００２５】
まず、公衆電話回線４の回線Ｌ１、Ｌ２間は、Ｌ１が−４８Ｖ、Ｌ２が地気ＯＶで、Ｌ１から見たＬ２間の電圧は＋４８Ｖである。そのため、回線切換回路２０が公衆電話回線４側、つまり実線で示す状態に接続されているときは、加入電話回線端末装置３には＋４８Ｖが供給される。一方、回線切換回路２０が鳴動信号生成回路２１側、つまり鎖線で示す状態に接続されているときは、直流電源２２がファクシミリ装置本体１からのモー夕等を駆動する場合に用いる最大直流電源の＋２４Ｖであるため、そのままでは加入電話回線端末装置３には＋２４Ｖが供給される。この場合、公衆電話回線４の回線間電圧とは異なり、電流変動により回線状態を検知する端末装置の場合は問題ないが、電圧変動により回線状態を検知する端末装置の場合は誤動作を招く恐れがある。そのため、鳴動信号生成回路２１により＋２４Ｖから＋４８Ｖに昇圧させる。以下、その昇圧動作について説明する。
【００２６】
鳴動信号生成回路２１は、放電トランジスタ（ＤＴＲ）２１ｄが非動作の場合、昇圧型ＤＣ−ＤＣコンバー夕と回路構成が同様となって、＋２４Ｖから＋４８Ｖに昇圧させることが可能となる。
【００２７】
図３は、上記昇圧時の主制御部１０によるスイッチングトランジス夕（ＳＴＲ）２１ｂと放電トランジスタ（ＤＴＲ）２１ｄのオン／オフ動作のタイミング信号、およびその出力電圧を示す説明図である。なお、同図の（ａ）、（ｂ）、（ｃ）は前記図２同様に図１の（ａ）、（ｂ）、（ｃ）点の制御信号あるいは出力電圧を示している。
【００２８】
さて、放電トランジスタ（ＤＴＲ）２１ｄは非動作であるため、その制御信号（ａ）はＬｏｗレベルである。スイッチングトランジスタ（ＳＴＲ）２１ｂの制御信号（ｂ）がオンの期間Ｔonにはインダクタ２１ａが直流電源２２と接続されているためエネルギーが蓄積される。次に、オフの期間Ｔoffにはこのエネルギー（逆起電力）を直流電源２２の入力電圧Ｖinに重畳させてダイオード２１ｃ、平滑コンデンサ２１ｅ、負荷抵抗２１ｆに供給して、電圧を取り出す。つまり、入力電圧Ｖinより高い出力電圧Ｖoutを取り出すことができる。そして、その電圧はスイッチングトランジスタ（ＳＴＲ）２１ｂの制御信号（ｂ）のデューティ比でコントロールすることができる。つまり、制御信号（ｂ）が約２０ＫＨｚの周期で、そのデューティ比が５０％であるならば、
出力電圧Ｖout＝（Ｔon＋Ｔoff）／Ｔoff×Ｖin＝２／１×２４Ｖ＝４８Ｖ
で、＋２４Ｖから＋４８Ｖへ昇圧することができる。出力電圧の波形は、図３（ｃ）の如く示される。
【００２９】
以上のように本実施形態によれば、インダクタ２１ａによる昇圧型の鳴動信号生成回路２１を利用して、ファクシミリ装置本体１に併設される加入電話回線端末装置３に公衆電話回線４と同等の電圧を供給することができるので、電圧変動により回線状態を検知する加入電話回線端末装置においても誤動作なく確実に動作させることができ、しかも鳴動信号生成回路２１をそのまま利用しているので、公衆電話回線４の回線間電圧と同等の電圧を供給するための専用回路を新たに追加せずに済む。
【００３０】
次に、本願の請求項１と２に記載の発明の実施形態を図４のフローチャートに従って説明する。なお、図４は、主制御部１０の請求項１と２に関する制御部分のみを示したものである。
【００３１】
まず、最初に回線切換回路２０の状態を判断する（判断１０１）。図１で示す実線側、つまり加入電話回線端末装置３が公衆電話回線４に接続されているときは（判断１０１のＹｅｓ）、公衆電話回線４から回線間電圧の＋４８Ｖの電圧が供給されるため、鳴動信号生成回路２１から電圧を供給する必要はなく、処理１０２にてその制御を停止、つまりスイッチングトランジスタ（ＳＴＲ）２１ｂおよび放電トランジスタ（ＤＴＲ）２１ｄの制御信号を図３の両サイドに示す如く共にＬｏｗレベルとして終了となる。このように、加入電話回線端末装置３が公衆電話回線４に接続されているときは、鳴動信号生成回路２１の制御を停止させることにより、無駄な電力を浪費せずに済む（請求項２に対応）。なお、回線切換回路２０がどの様な場合に実線側または鎖線側に接続されるかは、先に述べてあるのでここでの説明は省略する。
【００３２】
一方、判断１０１にてＮｏ（回線切換回路２０が図１で示す鎖線側）、つまり加入電話回線端末装置３が鳴動信号生成回路２１に接続されているときは、判断１０３に進み、鳴動信号生成回路２１より公衆電話回線４の回線間電圧と同等の＋４８Ｖの供給を行うか否か判断する。この判断１０３での＋４８Ｖの電圧の供給を行うか否かの判断は、ユーザにより操作部１５で登録された内容により決定される。ユーザにより＋４８Ｖの供給を行わないと登録されたとき、つまり加入電話回線端末装置３が電流変動により回線状態を検知するもので、敢えて鳴動信号生成回路２１を動作させて＋４８Ｖの供給を行う必要がないと判断されたときは（判断１０３のＮｏ）、前記処理１０２に進み、鳴動信号生成回路２１の制御を停止する。これにより、直流電源２２の＋２４Ｖがそのまま供給され、電力の消費を節約することができる（請求項１に対応）。
【００３３】
逆に、ユーザにより＋４８Ｖの供給を行うと登録されたとき、つまり加入電話回線端末装置３が電圧変動により回線状態を検知するものと判断されたときは（判断１０３のＹｅｓ）、処理１０４に進み、図３の中央部に示す如くスイッチングトランジスタ（ＳＴＲ）２１ｂおよび放電トランジスタ（ＤＴＲ）２１ｄの制御信号を送出して、加入電話回線端末装置３に＋４８Ｖの供給を行い、終了となる。これにより、加入電話回線端末装置３が電圧変動により回線状態を検知するものである場合にも、誤動作せずに、回線状態の検知を確実に行うことができる（請求項１に対応）。
【００３４】
ここで、＋４８Ｖの供給を行うか否かの登録は、操作部１５の登録キーより表示部１６と照らし合わせて行われ、いつでも登録可能である。また、主制御部１０は、一定周期毎に図４のフロー制御を実行し、その都度制御が更新される。
【００３５】
なお、上記実施形態においては、本願の各発明をファクシミリ装置に接続された網制御装置に適用した場合について説明したが、ファクシミリ機能を備えた各種複合機、または加入電話回線端末装置を併設する交換器等にも適用できる。
【００３６】
【発明の効果】
以上のように、本願の請求項１記載の発明によれば、インダクタによる昇圧型の鳴動信号生成回路を利用して、ファクシミリ装置等に併設される加入電話回線端末装置に公衆電話回線の回線間電圧と同等の電圧を供給することができるので、電圧変動により回線状態を検知する加入電話回線端末装置においても誤動作なく確実に動作させることができ、しかも鳴動信号生成回路をそのまま利用しているので、公衆電話回線の回線間電圧と同等の電圧を供給するための専用回路を新たに追加せずに済む等の効果がある。さらに、加入電話回線端末装置が電圧変動により回線状態を検知するものか、電流変動により回線状態を検知するものかを判断し、加入電話回線端末装置が電圧変動により回線状態を検知するものである場合は、前記鳴動信号生成回路を制御して加入電話回線端末装置に公衆電話回線の回線間電圧と同等の電圧を供給する一方、加入電話回線端末装置が電流変動により回線状態を検知するものである場合は、前記鳴動信号生成回路の制御を停止して、通信装置本体から供給される直流電源を加入電話回線端末装置にそのまま供給するようにしたので、電圧変動により回線状態の検知を行う加入電話回線端末装置の場合も誤動作せずに、回線状態の検知を確実に行うことができ、また、電流変動により回線状態の検知を行う加入電話回線端末装置の場合には電力の消費を節約することができる等の効果がある。
【００３７】
また、請求項２記載の発明によれば、加入電話回線端末装置が公衆電話回線に接続されているときは、前記鳴動信号生成回路の制御を停止させるようにしたので、無駄な電力を浪費せずに済む効果がある。
【図面の簡単な説明】
【図１】  本願の各発明の実施形態に係る鳴動信号生成回路を備えた網制御装置、及びそれらを含むファクシミリ装置の全体構成を示すブロック図。
【図２】  上記実施形態において、鳴動信号生成時の動作を示すタイミングチャート。
【図３】  上記実施形態において、回線間電圧と同等の電圧生成時の動作を示すタイミングチャート。
【図４】  本願の請求項１と２記載の発明の実施形態を示すフローチャート。
【符号の説明】
１  ファクシミリ装置本体
２  網制御装置
３  加入電話回線端末装置
３ａ  鳴動コンデンサ
４  公衆電話回線
１０  主制御部
１１  ＲＯＭ
１２  ＲＡＭ
１３  モデム
１４  読取部
１５  操作部
１６  表示部
１７  記録部
２０  回線切換回路
２１  鳴動信号生成回路
２１ａ  インダクタ
２１ｂ  スイッチングトランジスタ（ＳＴＲ）
２１ｃ  ダイオード
２１ｄ  放電トランジスタ
２１ｅ  平滑コンデンサ
２１ｆ  負荷抵抗
２２  直流電源
２３  オフフック検出回路
２４  呼出信号検出切換回路
２５  呼出信号検出回路
２６  直流検出回路
２７  ダイヤルパルス送出回路
２８  ライントランス
【図１】
0003685538.tif 000002
【図２】
0003685538.tif 000003
【図３】
0003685538.tif 000004
【図４】
0003685538.tif 000005